【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  画面を分割した領域毎に予測符号化を用いて符号化する画像符号化方法であって，
現領域のイントラ予測の予測画像を作成するときに，
既に符号化し復号した領域の復号画像情報から予測画像の画像情報を作成する直接予測画像作成ステップと，
既に符号化し復号した領域の復号画像情報と，前記直接予測画像作成ステップで作成した画像情報とから予測画像の画像情報を作成する準直接予測画像作成ステップと，
前記直接予測画像作成ステップまたは前記準直接予測画像作成ステップで作成した画像情報から予測画像の画像情報を作成する間接予測画像作成ステップとを有し，
符号化対象画素の予測画像を作成する際に，該画素の隣接画素位置で復号画像のみ作成されている場合には前記直接予測画像作成ステップを選択し，該画素の隣接画素位置で予測画像のみ作成されている場合には前記間接予測画像作成ステップを選択し，該画素の隣接画素位置で復号画像と予測画像が作成されている場合には前記準直接予測画像作成ステップを選択し，予測画像の作成を実行する
ことを特徴とする画像符号化方法。
【請求項２】  画面を分割した領域毎に予測符号化を用いて復号する画像復号方法であって，
現領域のイントラ予測の予測画像を作成するときに，
既に符号化し復号した領域の復号画像情報から予測画像の画像情報を作成する直接予測画像作成ステップと，
既に符号化し復号した領域の復号画像情報と，前記直接予測画像作成ステップで作成した画像情報とから予測画像の画像情報を作成する準直接予測画像作成ステップと，
前記直接予測画像作成ステップまたは前記準直接予測画像作成ステップで作成した画像情報から予測画像の画像情報を作成する間接予測画像作成ステップとを有し，
復号対象画素の予測画像を作成する際に，該画素の隣接画素位置で復号画像のみ作成されている場合には前記直接予測画像作成ステップを選択し，該画素の隣接画素位置で予測画像のみ作成されている場合には前記間接予測画像作成ステップを選択し，該画素の隣接画素位置で復号画像と予測画像が作成されている場合には前記準直接予測画像作成ステップを選択し，予測画像の作成を実行する
ことを特徴とする画像復号方法。
【請求項３】  画面を分割した領域毎に，既に符号化した領域の復号画像との間の予測誤差を用いて符号化する画像符号化装置であって，
既に符号化し復号した領域の復号画像情報からイントラ予測の予測画像の画像情報を作成する直接予測画像作成部と，
既に符号化し復号した領域の復号画像情報と，前記直接予測画像作成部で作成した画像情報とからイントラ予測の予測画像の画像情報を作成する準直接予測画像作成部と，
前記直接予測画像作成部または前記準直接予測画像作成部で作成した画像情報からイントラ予測の予測画像の画像情報を作成する間接予測画像作成部と，
符号化対象画素の予測画像を作成する際に，該画素の隣接画素位置で復号画像のみ作成されている場合には前記直接予測画像作成部を選択し，該画素の隣接画素位置で予測画像のみ作成されている場合には前記間接予測画像作成部を選択し，該画素の隣接画素位置で復号画像と予測画像が作成されている場合には前記準直接予測画像作成部を選択する予測画像作成選択部と，
予測画像を蓄積する予測画像メモリと，
予測画像と現画像から予測誤差を求める予測誤差作成部と，
予測誤差を符号化する予測誤差符号化部と，
予測誤差符号化データを復号し予測誤差情報を求める予測誤差復号部と，
予測画像と予測誤差から復号画像を作成する復号画像作成部と，
復号画像を蓄積する復号画像メモリとを備える
ことを特徴とする画像符号化装置。
【請求項４】  画面を分割した領域毎に，既に復号した領域の復号画像を用いて復号する画像復号装置であって，
既に復号した領域の復号画像情報からイントラ予測の予測画像の画像情報を作成する直接予測画像作成部と，
既に復号した領域の復号画像情報と，前記直接予測画像作成部で作成した画像情報とからイントラ予測の予測画像の画像情報を作成する準直接予測画像作成部と，
前記直接予測画像作成部または前記準直接予測画像作成部で作成した画像情報からイントラ予測の予測画像の画像情報を作成する間接予測画像作成部と，
復号対象画素の予測画像を作成する際に，該画素の隣接画素位置で復号画像のみ作成されている場合には前記直接予測画像作成部を選択し，該画素の隣接画素位置で予測画像のみ作成されている場合には前記間接予測画像作成部を選択し，該画素の隣接画素位置で復号画像と予測画像が作成されている場合には前記準直接予測画像作成部を選択する予測画像作成選択部と，
予測誤差符号化データを復号し予測誤差情報を求める予測誤差復号部と，
予測画像を蓄積する予測画像メモリと，
予測画像と予測誤差から復号画像を作成する復号画像作成部と，
復号画像を蓄積する復号画像メモリとを備える
ことを特徴とする画像復号装置。
【請求項５】  コンピュータにより，画面を分割した領域毎に予測符号化を用いて画像を符号化するための画像符号化プログラムであって，
既に符号化し復号した領域の復号画像情報からイントラ予測の予測画像の画像情報を作成する直接予測画像作成処理と，
既に符号化し復号した領域の復号画像情報と，前記直接予測画像作成処理で作成した画像情報とからイントラ予測の予測画像の画像情報を作成する準直接予測画像作成処理と，
前記直接予測画像作成処理または前記準直接予測画像作成処理で作成した画像情報からイントラ予測の予測画像の画像情報を作成する間接予測画像作成処理と，
符号化対象画素の予測画像を作成する際に，該画素の隣接画素位置で復号画像のみ作成されている場合には前記直接予測画像作成処理を選択し，該画素の隣接画素位置で予測画像のみ作成されている場合には前記間接予測画像作成処理を選択し，該画素の隣接画素位置で復号画像と予測画像が作成されている場合には前記準直接予測画像作成処理を選択する処理とを，
コンピュータに実行させるための画像符号化プログラム。
【請求項６】  コンピュータにより，画面を分割した領域毎に予測符号化を用いて画像を復号するための画像復号プログラムであって，
既に符号化し復号した領域の復号画像情報からイントラ予測の予測画像の画像情報を作成する直接予測画像作成処理と，
既に符号化し復号した領域の復号画像情報と，前記直接予測画像作成処理で作成した画像情報とからイントラ予測の予測画像の画像情報を作成する準直接予測画像作成処理と，
前記直接予測画像作成処理または前記準直接予測画像作成処理で作成した画像情報からイントラ予測の予測画像の画像情報を作成する間接予測画像作成処理と，
復号対象画素の予測画像を作成する際に，該画素の隣接画素位置で復号画像のみ作成されている場合には前記直接予測画像作成処理を選択し，該画素の隣接画素位置で予測画像のみ作成されている場合には前記間接予測画像作成処理を選択し，該画素の隣接画素位置で復号画像と予測画像が作成されている場合には前記準直接予測画像作成処理を選択する処理とを，
コンピュータに実行させるための画像復号プログラム。
【請求項７】  コンピュータにより，画面を分割した領域毎に予測符号化を用いて画像を符号化するための画像符号化プログラムを記録したコンピュータ読み取り可能な記録媒体であって，
既に符号化し復号した領域の復号画像情報からイントラ予測の予測画像の画像情報を作成する直接予測画像作成処理と，
既に符号化し復号した領域の復号画像情報と，前記直接予測画像作成処理で作成した画像情報とからイントラ予測の予測画像の画像情報を作成する準直接予測画像作成処理と，
前記直接予測画像作成処理または前記準直接予測画像作成処理で作成した画像情報からイントラ予測の予測画像の画像情報を作成する間接予測画像作成処理と，
符号化対象画素の予測画像を作成する際に，該画素の隣接画素位置で復号画像のみ作成されている場合には前記直接予測画像作成処理を選択し，該画素の隣接画素位置で予測画像のみ作成されている場合には前記間接予測画像作成処理を選択し，該画素の隣接画素位置で復号画像と予測画像が作成されている場合には前記準直接予測画像作成処理を選択する処理とを，
コンピュータに実行させるための画像符号化プログラムを記録した記録媒体。
【請求項８】  コンピュータにより，画面を分割した領域毎に予測符号化を用いて画像を復号するための画像復号プログラムを記録したコンピュータ読み取り可能な記録媒体であって，
既に符号化し復号した領域の復号画像情報からイントラ予測の予測画像の画像情報を作成する直接予測画像作成処理と，
既に符号化し復号した領域の復号画像情報と，前記直接予測画像作成処理で作成した画像情報とからイントラ予測の予測画像の画像情報を作成する準直接予測画像作成処理と，
前記直接予測画像作成処理または前記準直接予測画像作成処理で作成した画像情報からイントラ予測の予測画像の画像情報を作成する間接予測画像作成処理と，
復号対象画素の予測画像を作成する際に，該画素の隣接画素位置で復号画像のみ作成されている場合には前記直接予測画像作成処理を選択し，該画素の隣接画素位置で予測画像のみ作成されている場合には前記間接予測画像作成処理を選択し，該画素の隣接画素位置で復号画像と予測画像が作成されている場合には前記準直接予測画像作成処理を選択する処理とを，
コンピュータに実行させるための画像復号プログラムを記録した記録媒体。
【手続補正２】
【補正対象書類名】明細書
【補正対象項目名】００１７
【補正方法】変更
【補正の内容】
【００１７】
第１の発明は，画面を分割した領域毎に予測符号化を用いて符号化する画像符号化方法であって，現領域のイントラ予測の予測画像を作成するときに，既に符号化し復号した領域の復号画像情報から画像情報を作成する直接予測画像作成ステップと，既に符号化し復号した領域の復号画像情報と，直接予測画像作成ステップで作成した画像情報とから画像情報を作成する準直接予測画像作成ステップと，直接予測画像作成ステップまたは準直接予測画像作成ステップで作成した画像情報から画像情報を作成する間接予測画像作成ステップとを有し，復号対象画素の予測画像を作成する際に，該画素の隣接画素位置で復号画像のみ作成されている場合には直接予測画像作成ステップを選択し，該画素の隣接画素位置で予測画像のみ作成されている場合には間接予測画像作成ステップを選択し，該画素の隣接画素位置で復号画像と予測画像が作成されている場合には準直接予測画像作成ステップを選択し，予測画像の作成を実行することを特徴とする。
【手続補正３】
【補正対象書類名】明細書
【補正対象項目名】００１８
【補正方法】変更
【補正の内容】
【００１８】
第２の発明は，画面を分割した領域毎に予測符号化を用いて復号する画像復号方法であって，現領域のイントラ予測の予測画像を作成するときに，既に符号化し復号した領域の復号画像情報から画像情報を作成する直接予測画像作成ステップと，既に符号化し復号した領域の復号画像情報と，直接予測画像作成ステップで作成した画像情報とから画像情報を作成する準直接予測画像作成ステップと，直接予測画像作成ステップまたは準直接予測画像作成ステップで作成した画像情報から画像情報を作成する間接予測画像作成ステップとを有し，復号対象画素の予測画像を作成する際に，該画素の隣接画素位置で復号画像のみ作成されている場合には直接予測画像作成ステップを選択し，該画素の隣接画素位置で予測画像のみ作成されている場合には間接予測画像作成ステップを選択し，該画素の隣接画素位置で復号画像と予測画像が作成されている場合には準直接予測画像作成ステップを選択し，予測画像の作成を実行することを特徴とする。